(57)【特許請求の範囲】
【請求項１】
地盤中にアンカーを造成する単管方式のアンカー施工用装置であり、中空の掘削ロッドの先端に、掘削ロッドの外径よりも大径で外周部に掘削ずり排出用の切欠きが形成された掘削ビットが設けられ、掘削ロッドの外周面に、掘削ビットの外径とほぼ等しい外径を有する螺旋状の突起がロッド軸方向に沿って設けられていると共に、掘削ビットの先端側の表面に、掘削ロッドおよび掘削ビットを貫通して設けられるアンカー芯材に固定されたストッパーであるアンカー芯材先端のストッパーを収めることができる係止溝が設けられていることを特徴とするアンカー施工用装置。
【請求項２】
地盤中にアンカーを造成するアンカーの施工方法であり、先端に掘削ビットを有し外周にロッド軸方向に沿う螺旋状の突起を有する単管方式の中空の掘削ロッドにアンカー芯材を掘削ビットおよび掘削ロッドを貫通させて装着すると共に、アンカー芯材の先端に固定されたストッパーであるアンカー芯材先端のストッパーが掘削ビットのチップまたはカッターより突出しないようにアンカー芯材先端のストッパーを掘削ビットの先端側の表面に係止めし、必要に応じて掘削ロッドおよび掘削ビットの注入孔を通して掘削液を注入しつつ掘削ロッドの回転または回転打撃により地盤の削孔を行い、所定の位置まで掘進すると、固化材液を掘削ロッドおよび掘削ビットの注入孔を通して注入しつつ、掘削ロッドを回転、回転打撃、または打撃させながら、あるいは無回転のまま、引抜き、アンカー芯材をそのまま残置してアンカーを造成することを特徴とするアンカーの施工方法。
【発明の詳細な説明】
【０００１】
【発明の属する技術分野】
本発明は、地盤中にアンカーを造成するためのアンカー施工用装置およびアンカーの施工方法に関するものであり、特に、硬質地盤あるいは玉石や転石が混入する地盤等の地山法面等におけるアンカー造成に最適である。
【０００２】
【従来の技術】
硬質地盤、地中障害物が混在する地盤、あるいは玉石や転石が混入する地盤等の削孔を効率良く行うには、掘削ツールに回転や打撃のエネルギーを加えるだけでなく、掘削ずりをスムーズに排出することが要求される。
【０００３】
従来一般のアンカーの造成方法には、図６(a) に示すように、ボーリングマシンに支持された中空の掘削ロッド５０の先端にリング状等の掘削ビット５１を設け、掘削ロッド５０を回転させながら削孔し、この際、掘削ロッド５０の先端からは水等の掘削液Ｗを噴出させ、発生した掘削ずりＫを掘削液と共に周辺地盤Ａと掘削ロッド５０の間隙を通してマシン側の外部へと排出する削孔方法（正循環）が採用されている。
【０００４】
図７に示すように、所定の深さまで掘進すると、セメントミルク等の固化材液Ｃを掘削ロッド５０の先端から吐出しつつ掘削ロッド５０・掘削ビット５１を引き抜き、掘削孔Ｂ内が固化材液Ｃで満たされると、鋼線等のアンカー芯材５２を挿入し、固化材液Ｃが硬化すると、アンカー芯材５２を緊張し、そのマシン側の端部をアンカープレート（図示省略）に定着している。
【０００５】
しかし、前記従来一般の削孔方法では、掘削ずりが掘削液と共に周辺地盤Ａと掘削ロッド５０の間隙を流路として排出されるため、その流路が不規則な形状となり、孔壁が崩壊したり、目詰まりしたりし、健全なアンカーを造成することができない問題がある。
【０００６】
そのため、このような問題を解消するものとして、外周にケーシングを設けて施工を行う二重管方式が提案されている。この方法は、図６(b) に示すように、先端に掘削ビットをそれぞれ設けた内管６１と外管６２により二重管ロッド６０を構成し、内管６１と外管６２の間隙を掘削ずり・掘削液の流路としている。
【０００７】
また、二重管方式を用いたアンカー施工に関して、特開平８−３５３８６号公報には、掘削時の戻り水によるアンカー孔の破損を二重管方式で防止することを目的とし、掘削液の吐出孔を中央部に有し掘削ずり・掘削液の排出孔を外周部に有する掘削ビットのマシン側の基部にインナーロッドとアウターケーシングの先端を嵌合し、所定深さまで掘進すると、インナーロッドを引き上げ、掘削ビットを残置したままアウターケーシング内にセメントミルクを注入し、次に、セメントミルクで満たされたアウターケーシング内にアンカー鋼線を挿入した後、アウターケーシングのみを回転させながら引き上げて回収し、固化材液が硬化すると、アンカー鋼線を緊張し、アンカープレートに定着する掘削方法が開示されている。
【０００８】
また、二重管方式ではないが、特開平５−１４０９３２号公報には、地盤中に永久アンカー・仮設アンカーを打設する際、ケーシングパイプの先端にリングビットを取付け、このリングビットの先端縁面の受溝にインナービットを先端面側から嵌入し、このようなケーシングパイプを用いて所定深度まで削孔し、ケーシングパイプ内にアンカー線を挿通してインナービットを押し下げ、インナービットを孔底に残した状態でケーシングパイプを引き上げながらグラウトを１次注入してインナービットを核とするアンカー体を造成する打設方法が開示されている。リングビットとインナービットで削孔速度を大きく設定できるようにし、ケーシングパイプで孔壁の崩壊を防止しながらアンカー線を挿入できるようにしたものである。
【０００９】
【発明が解決しようとする課題】
前述したような二重管方式としても、内管と外管の間の流路断面に限界があり、掘削ずりを効率よく排出することができず、削孔を効率良く行うことができないなどの問題がある。特に、硬質地盤、地中障害物が混在する地盤、あるいは玉石や転石が混入する地盤等の削孔を効率良く行うことができない。さらに、特開平８−３５３８６号公報の二重管方式では、削孔前に内管と外管を組み立てる作業が必要となり、また、削孔後にも内管と外管を別々に引き上げるため、作業工数が多く、非効率的である。
【００１０】
また、一般的なアンカーの造成は、削孔を先に行い、固化材液を注入した後、アンカー芯材を入れる後入れ方式で行われているため（特開平８−３５３８６号公報参照）、作業工数が増え、コストが増加するなどの問題がある。特開平５−１４０９３２号公報では、削孔後にケーシングパイプ内にアンカー線を挿通した後、グラウトを注入しているが、この場合も同様に後入れ方式であり、作業工数が増え、コストが増加するなどの問題がある。
【００１１】
本発明は、このような問題点を解消すべくなされたもので、その目的は、アンカーの施工に際し、一般的な削孔方法による孔壁の崩壊等を防止することができると共に、硬質地盤、地中障害物が混在する地盤、あるいは玉石や転石が混入する地盤等に対しても、掘削ずりを効率よく排出することができ、削孔を効率良く行うことができ、さらに、アンカー芯材を削孔と同時に設置することができ、作業工数の低減を図ることのできるアンカー施工用装置およびアンカーの施工方法を提供することにある。
【００１２】
【課題を解決するための手段】
本発明の請求項１は、地盤中にアンカーを造成する単管方式のアンカー施工用装置であり、中空の掘削ロッドの先端に、掘削ロッドの外径よりも大径で外周部に掘削ずり排出用の切欠きが形成された掘削ビットが設けられ、掘削ロッドの外周面に、掘削ビットの外径とほぼ等しい外径を有する螺旋状の突起がロッド軸方向に沿って設けられていると共に、掘削ビットの先端側の表面に、掘削ロッドおよび掘削ビットを貫通して設けられるアンカー芯材に固定されたストッパーであるアンカー芯材先端のストッパーを収めることができる係止溝が設けられていることを特徴とするアンカー施工用装置である。螺旋状の突起は、スクリュー羽根であり、ロッド軸方向に連続したものでもよいし、断続的なものでもよい。
【００１３】
また、請求項１に記載のアンカー施工用装置は、掘削ビットの先端側の表面に、掘削ロッドおよび掘削ビットを貫通して設けられるアンカー芯材に固定されたストッパーであるアンカー芯材先端のストッパーを収めることができる係止溝が設けられていることを特徴とするアンカー施工用装置であり、掘削ロッドおよび掘削ビットを貫通してアンカー芯材が設けられ、このアンカー芯材の先端に、掘削ビットの先端面に係止めされ、アンカー芯材の反掘進方向の移動を阻止する芯材ストッパーが設けられているアンカー施工用装置とすることができる。芯材ストッパーは、掘削ビットのアンカー芯材の貫通孔より大きく、掘削ビットの掘削径より小さいものであれば、どのような形状のものでもよいが、例えばアンカー芯材の先端に側面視で直交するように固定された棒材等を用いることができる。この棒状の場合は、正面視で一字状や十字状等とすることができる。
【００１５】
本発明の請求項２は、地盤中にアンカーを造成するアンカーの施工方法であり、先端に掘削ビットを有し外周にロッド軸方向に沿う螺旋状の突起を有する単管方式の中空の掘削ロッドにアンカー芯材を掘削ビットおよび掘削ロッドを貫通させて装着すると共に、アンカー芯材の先端に固定されたストッパーであるアンカー芯材先端のストッパーが掘削ビットのチップまたはカッターより突出しないようにアンカー芯材先端のストッパーを掘削ビットの先端側の表面に係止めし、必要に応じて掘削ロッドおよび掘削ビットの注入孔を通して掘削液を注入しつつ掘削ロッドの回転または回転打撃により地盤の削孔を行い、所定の位置まで掘進すると、固化材液を掘削ロッドおよび掘削ビットの注入孔を通して注入しつつ、掘削ロッドを回転、回転打撃、または打撃させながら、あるいは無回転のまま、引抜き、アンカー芯材をそのまま残置してアンカーを造成することを特徴とするアンカーの施工方法である。掘削ロッドの中空部と、掘削ビットの中心部に形成した貫通孔を、アンカー芯材の挿通孔と掘削液や固化材液の注入孔を兼ねるようにするのが好ましい。
【００１６】
以上のような構成において、掘削ビットの掘進によって発生する掘削ずりは、掘削ビットの外周部の掘削ずり排出用の切欠きを通り、掘削ロッドと共に回転する螺旋状の突起のコンベア作用により、効率良く外部に排出される。また、螺旋状の突起により、掘削ロッドと周辺地盤との間に掘削ずりや掘削液の排出通路が大きく確保される。以上により、従来の二重管方式の欠点を解消することができる。この結果、硬質地盤、地中障害物が混在する地盤、あるいは玉石や転石が混入する地盤等に対しても掘削ずりをスムーズに排出することが可能となり、また掘削液の使用量も少なくすることができる。さらに、螺旋状の突起の回転速度を制御することにより、あるいは螺旋状のスクリュー羽根の断続長さを変えることなどにより、掘進量とも合わせて掘削ずりの排出量も制御することができるため、孔壁の崩壊も防止できる。
【００１７】
また、予めアンカー芯材をセットしたまま削孔し、掘削ロッドを引き抜く際にアンカー芯材を残置させることができるため、従来の後入れ方式における作業工数の増大を解消することができ、また孔壁崩壊も解消することができる。
【００１８】
また、掘進時には、アンカー芯材先端の芯材ストッパーが掘削ビットのチップまたはカッターあるいは係止溝に係止され、掘削ビットに確実に保持されるため、硬質地盤、地中障害物が混在する地盤、あるいは玉石や転石が混入する地盤等を回転打撃しながら掘進する場合でも、削孔とアンカー芯材の同時埋設を行うことができる。
【００１９】
さらに、掘削ビットは、円形断面に切欠きを設けた形状であるため、掘削エネルギーが集中し、削孔を効率良く行うことができる。また、芯材ストッパーは、アンカー底部の定着具として利用することができる。
【００２０】
【発明の実施の形態】
以下、本発明を図示する実施の形態に基づいて説明する。図１は本発明のアンカー施工用装置の１例を示したものである。図２はアンカー施工用装置の先端の掘削ビット部分の具体例を示したものである。図３はその変形例を示したものである。図４は本発明のアンカー施工方法の掘進時の状況を示したものである。図５は引抜時と引抜後の状況を示したものである。
【００２１】
図１に示すように、本発明のアンカー施工用装置１は、主に、中空の掘削ロッド２と、この掘削ロッド２の先端に設けられた掘削ビット３と、掘削ロッド２の外周面に設けられた螺旋状の突起４と、掘削ロッド２と掘削ビット３を貫通して取付けられるアンカー芯材５から構成されている。
【００２２】
掘削ロッド２は、中心部に中空部６が形成されたロッドであり、図示しないロータリーパーカッション機等のボーリング機械に装着され、回転または回転打撃が与えられる。中空部６は、アンカー芯材５の挿通孔と、掘削液や固化材液の注入孔を兼ね、アンカー芯材５が挿入された状態でセメントミルク等の固化材液Ｃを供給可能な内径とされている。
【００２３】
掘削ビット３は、その外径が掘削ロッド２の外径よりも大径とされ、掘削ロッド２の先端にねじや溶接等で固定されている。また、中心部に掘削ロッド２の中空部６と略同径で中空部６に連続する貫通孔８が形成され、外周部に切欠きによる掘削ずり排出通路９が形成されている。貫通孔８は、中空部６と同様に、アンカー芯材５の挿通孔と掘削液や固化材液の注入孔を兼ねる。また、切欠き部９を設けることで、地盤に対する掘削エネルギーを集中させることもできる。
【００２４】
具体的には、図２に示すように、掘削ビット３は、正面視で略Ｙ型や略十字型とされ、通路９が円周方向に等間隔をおいて３つあるいは４つ形成されている。なお、通路９は、３つあるいは４つに限らず、複数設けられていることが好ましい。掘削ビット３の先端面には、チップまたはカッター１０が突設されている。排出通路９の底面は掘削ロッド２の外径と一致させるのが好ましい。
【００２５】
螺旋状の突起４は、図１に示すように、掘削ビット３の外径とほぼ等しい外径を有するスクリュー羽根であり、掘削ロッド２と周辺地盤Ａとの間に掘削ずり排出通路１１を形成すると共に、掘削ずりＫを強制的に排出する。この螺旋状の突起４のピッチは、土質などに応じて適宜決定され、また回転削孔時に突起が反掘進方向に後退移動するように回転方向が決められる。なお、この螺旋状の突起４はロッド軸方向に連続したものでもよいし、断続的なものでもよい。
【００２６】
アンカー芯材５の先端には、図１，図２に示すように、掘削ビット３の先端面に係止めされ、アンカー芯材５の反掘進方向の移動を阻止する芯材ストッパー１２が設けられている。この芯材ストッパー１２は、掘削ビット３の回転半径内に納まるものでよく、アンカー芯材５の先端に棒状等のものを側面視でアンカー芯材５と直角に溶接等で取付けて構成することができる。また、アンカー芯材５の正面視の形状は一字状に限らず、十字状等でもよい。十字状等であれば、アンカー芯材５をアンカー体中心に維持するための役目もする。
【００２７】
このような芯材ストッパー１２付きのアンカー芯材５であれば、掘削ビット３および掘削ロッド２内にその先端側から容易に装着することができ、また削孔時にはアンカー芯材５を掘削ビット３および掘削ロッド２に対して一体化することができ、さらに掘削ロッド引抜時にはアンカー芯材５を掘削孔内に残置することができる。
【００２８】
さらに、硬質地盤、あるいは玉石や転石が混入する地盤等を掘削するには、掘削ビット３に回転あるいは打撃等の大きなエネルギーの供給が必要であり、それに耐え得る掘進時のアンカー芯材５の保持が必要になるが、掘削ビット３先端面のチップまたはカッター１０で芯材ストッパー１２が係止されることにより、アンカー芯材５が保持される。
【００２９】
アンカー芯材５の保持の更なる安全を図るために、図３に示すように、掘削ビット３の先端面に係止溝１３を設け、この係止溝１３に芯材ストッパー１２を納めることもできる。この係止溝１３は、チップまたはカッター１０を避け、掘削ビット中心を通る直線上に形成し、また例えば断面Ｕ字状とし、棒状の芯材ストッパー１２が嵌合あるいは遊嵌し、完全に埋没するようにする。
【００３０】
以上のような構成のアンカー施工用装置１を使用して次のような手順でアンカーを施工する。
(1) 削孔を行う前に、アンカー芯材５を掘削ビット３の貫通孔８および掘削ロッド２の中空部６に先端側から挿入し、芯材ストッパー１２を掘削ビット３の先端面に係止し、あるいは係止溝１３に嵌合し、アンカー芯材５を予め装着しておく。
【００３１】
(2) 図１(a) に示すように、アンカー芯材５が装着された掘削ロッド２を回転させ、または掘削ロッド２に回転と打撃を与えて、先端の掘削ビット３で地盤Ａを削孔しつつ掘進する。芯材ストッパー１２は掘削ビット３のチップまたはカッター１０あるいは係止溝１３に係止され、掘削ビット３に保持される。掘削ビット３は、円形断面に切欠きを設けた形状であるため、掘削エネルギーが集中し、削孔を効率良く行うことができる。
【００３２】
(3) 前記掘進工程において、必要に応じて、水等の掘削液Ｗが用いられる。この掘削液Ｗは、図１(a) ，図４(a) に示すように、掘削ロッド２に外部から供給され、中空部６を通り、掘削ビット３の貫通孔８の先端の吐出口１４から吐出され、掘削ビット３の排出通路９・掘削ロッド２の排出通路１１を通って外部に排出される。
【００３３】
(4) 掘削によって発生する掘削ずりＫは、図４(a) に示すように、掘削ビット３の円周方向に複数の排出通路９を通り、図４(b) に示すように、掘削ロッド２と共に回転する螺旋状の突起４のコンベア作用により、効率良く外部に排出される。また、螺旋状の突起４により、掘削ロッド２と周辺地盤Ａとの間に掘削ずりＫや掘削液Ｗの排出通路１１が大きく確保される。以上により、従来の二重管方式の欠点を解消することができる。この結果、硬質地盤、地中障害物が混在する地盤、あるいは玉石や転石が混入する地盤等に対しても掘削ずりをスムーズに排出することが可能となり、また掘削液Ｗの使用量も少なくすることができる。さらに、螺旋状の突起４の回転速度を制御することにより、あるいは断続的な突起４の配置間隔を変えることなどにより、掘進量とも合わせて掘削ずりＫの排出量も制御することができるため、孔壁の崩壊も防止できる。なお、通常の地盤掘削に使用されるアースオーガー（スクリュー）は垂直方向に用いられることが多いが、ここでは水平に近い斜め施工に用いることで、螺旋状の突起４のコンベア作用が更に有効に発揮される。
【００３４】
(5) 所定の深度に達すると、掘進を停止し、図１(b),図５に示すように、掘削ビット３の先端の吐出口１４から固化材液Ｃを注入しながら掘削ロッド２を引き抜く。掘削ロッド２は、回転、回転打撃、または打撃させながら、あるいは無回転のまま、引き抜く。アンカー芯材５は、その芯材ストッパー１２が固化材液Ｃに押圧される等して掘削孔Ｂ内に残置される。アンカー芯材５と装置の切り離しには打撃を用いることもできる。また、残置された芯材ストッパー１２は、アンカー芯材５が掘削ロッド２と一緒に共抜けするのを防止する。以上のように、予めアンカー芯材５をセットしたまま削孔し、掘削ロッド２を引き抜く際にアンカー芯材５を残置させることにより、従来の後入れ方式における作業工数の増大を解消することができ、また孔壁崩壊も解消することができる。
【００３５】
(6) 固化材液Ｃが硬化して所定の圧縮強度に達すると、アンカー芯材５の端部をアンカープレート等に定着させる。この際、芯材ストッパー１２は、アンカー底部の定着具として機能する。
【００３６】
本発明は、硬質地盤あるいは玉石や転石が混入する地盤等に限らず、軟弱地盤にも適用できることはいうまでもない。
【００３７】
【発明の効果】
本発明は、以上のような構成からなるので、次のような効果を奏することができる。
【００３８】
(1) 掘削ロッドの外周側が孔壁に面しているにも拘わらず、掘削ビットの掘進によって発生する掘削ずりを、掘削ビットの外周部の排出用の切欠きを通し、螺旋状の突起のコンベア作用により、効率良く外部に排出することができ、また螺旋状の突起により、掘削ロッドと周辺地盤との間に掘削ずりや掘削液の排出通路を大きく確保することができ、硬質地盤、地中障害物が混在する地盤、あるいは玉石や転石が混入する地盤等に対しても掘削ずりをスムーズに排出することが可能となる。結果として、硬質地盤、地中障害物が混在する地盤、あるいは玉石や転石が混入する地盤等に対しても、アンカー体の径を大きくすることができる。また、掘削液の使用量を少なくすることができ、コストの低減が可能となる。
さらに、掘削ビットの先端側の表面に、掘削ロッドおよび掘削ビットを貫通して設けられるアンカー芯材に固定されたストッパーであるアンカー芯材先端のストッパーを収めることができる係止溝が設けられているので、この係止溝にアンカー芯材の先端に固定されたストッパーであるアンカー芯材先端のストッパーを嵌めた状態で、アンカー芯材を掘削ビットおよび掘削ロッド内に貫入した状態で掘進することが可能になる。
【００３９】
(2) 螺旋状の突起の回転速度を制御することにより、あるいは螺旋状のスクリュー羽根の断続長さを変えることなどにより、掘進量とも合わせて掘削ずりの排出量も制御することができるため、孔壁の崩壊も防止でき、健全なアンカーを造成することができる。
【００４０】
(3) 予めアンカー芯材をセットしたまま削孔し、掘削ロッドを引き抜く際にアンカー芯材を残置させることができるため、従来の後入れ方式における作業工数の増大を解消することができ、また孔壁崩壊も解消することができ、安価で良好なアンカーを造成できる。
【００４１】
(4) 掘進時には、アンカー芯材の先端に固定されたストッパーであるアンカー芯材先端のストッパーが掘削ビットのチップまたはカッターより突出しないように、アンカー芯材先端の芯材ストッパーが掘削ビットのチップまたはカッターあるいは係止溝に係止され、好ましくは、掘削ビットの先端側の表面に設けられた係止溝に係止される。このようにアンカー芯材先端のストッパーが掘削ビットのチップまたはカッターあるいは係止溝に係止され、アンカー芯材先端のストッパーが掘削ビットのチップまたはカッターより突出しない状態で掘削ビットに確実に保持されるため、硬質地盤、地中障害物が混在する地盤、あるいは玉石や転石が混入する地盤等を回転打撃しながら掘進する場合でも、削孔とアンカー芯材の同時埋設を行うことができる。
【００４２】
(5) 掘削ビットは、円形断面に切欠きを設けた形状であるため、掘削エネルギーが集中し、削孔を効率良く行うことができる。
(6) アンカー芯材先端の芯材ストッパーは、アンカー底部の定着具として利用することができる。
【図面の簡単な説明】
【図１】本発明のアンカー施工用装置の１例を示す側面図であり、(a) は掘進時、(b) は引抜時の状態を示す。
【図２】本発明のアンカー施工用装置の先端の掘削ビット部分の具体例を示したものであり、(a) は正面図、(b) は正面視形状の異なる斜視図、(c) はその側面図である。
【図３】図２の掘削ビット部分の変形例であり、(a) は斜視図、(b) は断面図、(c) は側面図である。
【図４】本発明のアンカー施工方法の掘進時の状況を示す側面図である。
【図５】本発明のアンカー施工方法の引抜時と引抜後の状況を示す側面図である。
【図６】  (a) は従来一般の削孔方法を示す側面図、(b) は従来の二重管方式による削孔方法を示す側面図である。
【図７】従来一般の削孔方法によるアンカー施工方法を工程順に示す側面図である。
【符号の説明】
Ａ……周辺地盤
Ｂ……掘削孔
Ｃ……固化材液
Ｋ……掘削ずり
Ｗ……掘削液
１……アンカー施工用装置
２……掘削ロッド
３……掘削ビット
４……螺旋状の突起
５……アンカー芯材
６……中空部
８……貫通孔
９……掘削ずり排出通路
１０……チップまたはカッター
１１……掘削ずり排出通路
１２……芯材ストッパー
１３……係止溝
１４……吐出口
【図１】
0003868204.tif 000002
【図２】
0003868204.tif 000003
【図３】
0003868204.tif 000004
【図４】
0003868204.tif 000005
【図５】
0003868204.tif 000006
【図６】
0003868204.tif 000007
【図７】
0003868204.tif 000008